(57)【要約】【課題】  ハンドルがキャディバッグの側面から大きく張り出さず、キャディバッグを持ち上げて立てたり、ハンドルを持って運搬する時にスムーズに操作ができ、運搬の際はキャディバッグの口枠がやや上を向くように保持され、手首に無駄な負担をかけず、キャディバッグをショルダーベルトで担いだ時にハンドルが体に当たって痛いといったことを無くしたキャディバッグを提供する。【解決手段】  キャディバッグ１に取り付けるハンドル１０を、キャディバッグ本体２の上部側面に取り付けられた支持体１１と、一端を支持体１１に回動可能に軸支された把持体１２と、把持体１２の他端とキャディバッグ本体２の側面とを係止するベルト１３からなるハンドル１０とし、ゴルフクラブ等が収納されたキャディバッグ１のハンドル１０を持って運搬する時にキャディバッグ１の口枠がやや上を向くように形成する。【選択図】        図２
2007135781.tif 000002
【特許請求の範囲】
【請求項１】
キャディバッグ本体（２）の上部側面に取り付けられた支持体（１１）と、一端を支持体（１１）に回動可能に軸支された把持体（１２）と、把持体（１２）の他端とキャディバッグ本体（２）の側面とを係止するベルト（１３）からなるハンドル（１０）を有することを特徴とするキャディバッグ（１）。
【請求項２】
キャディバッグ（１）を水平面に立てた状態で、支持体（１１）に軸支された把持体（１２）の軸孔（１２ａ）の中心から鉛直方向の把持体（１２）が、１０°〜２０°キャディバッグ本体（２）の側面から離れる方向に回動したところで止まるように形成したハンドル（１０）を有することを特徴とする請求項１に記載のキャディバッグ（１）。
【請求項３】
支持体（１１）に軸支された把持体（１２）が、軸支部に内蔵されたバネ体（３０）の作用によって、ベルト（１３）を係止した把持体（１２）の端部がキャディバッグ本体（２）の側面に接するように形成したハンドル（１０）を有することを特徴とする請求項２に記載のキャディバッグ（１）。
【発明の詳細な説明】
【技術分野】
【０００１】
本発明は、キャディバッグのハンドルの改良に関するものである。
【背景技術】
【０００２】
従来のキャディバッグのハンドルは、図７に示すようにキャディバッグ本体４０の側面に固着したテープ４１を把持体４２に通したり、把持体４２ではさむようにしたハンドル４３や図８に示すようにキャディバッグ本体４０の側面に円弧状または台形状の剛体のハンドル４４を取り付けたものが一般的であった。
【０００３】
ところが、図７に示すハンドル４３では、キャディバッグを持ち上げて立てる時、あるいは立てた状態からハンドル４３を持って運搬する時に、テープ４１が変形するため操作がしにくいといった問題点があった。図８に示すハンドル４４では、前記問題点は無いがキャディバッグの側面から大きく張り出しているため、車のトランクへの収納時に邪魔になったり、キャディバッグをショルダーベルトで担いだ時にハンドル４４が体に当たって痛いといった問題点があった。
【０００４】
そこで、前記問題点を改善するために、例えば特開平１１−１１４１１６号公報に、キャディバッグの上端部にハンドルの一端が固定され、他端がキャディバッグの中間部まで延長されて固定し、ハンドルの全長に渡ってタイトに固定されたハンドルを備えたキャディバッグが開示されている。
【特許文献１】特開平１１−１１４１１６号公報
【発明の開示】
【発明が解決しようとする課題】
【０００５】
前記特開平１１−１１４１１６号公報に開示されたキャディバッグは、棒状の長いハンドルのため、ショルダーベルトで担いだ時にハンドルが体に当たって痛いといった問題点は改善されるが、ゴルフクラブ等が収納されたキャディバッグの重心よりも下のハンドルの部位を持ち上げると、ゴルフクラブが不意に飛び出るといったことがある。
【０００６】
そこで、本発明はハンドルがキャディバッグの側面から大きく張り出さず、キャディバッグを持ち上げて立てたり、ハンドルを持って運搬する時にスムーズに操作ができ、運搬の際はキャディバッグの口枠がやや上を向くように保持され、手首に無駄な負担をかけず、キャディバッグをショルダーベルトで担いだ時にハンドルが体に当たって痛いといったこと無くしたキャディバッグを提供することを目的とする。
【課題を解決するための手段】
【０００７】
本発明の目的を達成するため、キャディバッグに取り付けるハンドルを、キャディバッグ本体の上部側面に取り付けられた支持体と、一端を支持体に回動可能に軸支された把持体と、把持体の他端とキャディバッグ本体の側面とを係止するベルトからなるハンドルとし、ゴルフクラブ等が収納されたキャディバッグのハンドルを持って運搬する時にキャディバッグの口枠がやや上を向くようにベルトの長さを構成するものである。
【０００８】
ゴルフクラブ等が収納されたキャディバッグのハンドルを持って、手首を回転させるような力をかけずに持ち上げた時、キャディバッグの口枠がやや上を向くように形成することが望ましい。そのため、キャディバッグを水平面に立てた状態で、支持体に軸支された把持体の軸の中心から鉛直方向の把持体が、１０°〜２０°キャディバッグ本体の側面から離れる方向に回動したところで止まるように形成することが望ましい。
【０００９】
また、支持体に軸支された把持体が、軸支部に内蔵されたバネの作用によって、ベルトを係止した把持体の端部がキャディバッグ本体の側面に接するように形成すれば、ハンドルの高さが低い状態で保持され、キャディバッグをショルダーベルトで担いだ時にハンドルが体に当たって痛いといったことが無くなる。
【発明の効果】
【００１０】
本発明のキャディバッグのハンドルは、キャディバッグ本体の上部側面に取り付けられた支持体と、一端を支持体に回動可能に軸支された把持体と、把持体の他端とキャディバッグ本体の側面とを係止するベルトからなっているので、把持体を持ってキャディバッグを立てたり、寝かせたりする操作がスムーズにできる。
【００１１】
また、キャディバッグを水平面に立てた状態で、支持体に軸支された把持体の軸孔の中心から鉛直方向の把持体が、１０°〜２０°キャディバッグ本体の側面から離れる方向に回動したところで止まるように形成することで、把持体を持ってキャディバッグを持ち上げた時、キャディバッグの口枠がやや上を向くようになり、ゴルフクラブが不意に飛び出るといったことが無くなる。
【００１２】
さらに、回動する把持体を軸支部に内蔵されたバネの作用によって、ベルトを係止した把持体の端部がキャディバッグ本体の側面に接するように形成することで、キャディバッグをショルダーベルトで担いだ時にハンドルが体に当たって痛いといったことが無くなるとともに、車のトランクへの収納時に邪魔にならず、デザイン面からも好ましい。
【発明を実施するための最良の形態】
【００１３】
図１から図６を用いて、本発明に係る実施の形態を説明する。図１は本発明を実施したキャディバッグ１の正面図である。図1に示すようにキャディバッグ１は、ゴルフクラブを収納するキャディバッグ本体２と、キャディバッグ本体２の上部側面に取り付けられられたハンドル１０と、キャディバッグ本体２の上部と下部に係止され、ハンドル１０の上部に配置された帯状のショルダーベルト３と、ゴルフクラブ以外のものを収納するポケット４を備えている。
【００１４】
図２の（ａ）はハンドル１０を取り付けた部分の正面図、図２の（ｂ）はハンドル１０を取り付けた部分の側面図である。ハンドル１０は、キャディバッグ本体２の上部側面に取り付けられた支持体１１と、一端を支持体１１に回動可能に軸支された把持体１２と、把持体１２の他端とキャディバッグ本体２の側面とを係止するベルト１３からなる。支持体１１は、ｖ字状のプラスチック成型品で、キャディバッグ本体２の上部側面に４本のボルト１４で取り付けられており、把持体１２を軸支する軸孔１１ａの中心がキャディバッグ本体２の側面から３０〜４０ｍｍの高さとなるように形成されている。把持体１２は、把持体１２の一端に支持体１１の凹部１５に嵌合する凸部１６を形成し、凸部１６には支持体１１に軸支される軸孔１２ａが開けられ、他端にはキャディバッグ本体２の側面に係止されたベルト１３を通すベルト孔１２ｂが形成されたプラスチック成型品である。なお、把持体１２の中間部のキャディバッグ本体２の側には、把持しやすい様にゴム成形品１７を接着している。ベルト１３は、一端をキャディバッグ本体２の側面に鋲１８で係止され、他端は前記把持体１２のベルト孔１２ｂに通した後、縫着されている。なお、ベルト１３は幅２０ｍｍのナイロン製織テープで、長さは該ベルト１３に係止された把持体１２を持ち上げた時、把持体１２の端部がキャディバッグ本体２の側面から４０〜６０ｍｍの高さとなるような長さとしている。
【００１５】
図３は、支持体１１と把持体１２を分離した側面図である。支持体１１には図２に示すボルト１４を通すボルト孔１１ｂ４箇所と把持体１２を軸支する軸孔１１ａが開けられている。また、把持体１２の凸部１６が嵌合する凹部１５の内面に把持体１２の回動範囲を規制する扇型切欠き部１９を形成している。把持体１２には前記凸部１６に軸孔１２ａが開けられ、他端にはベルト１３を通すベルト孔１２ｂが開けられている。また、前記凸部１６の両側面に、前記扇型切欠き部１９に嵌め合わされて、把持体１２の回動範囲を規制する扇型凸部２０を形成し、軸支された把持体１２のベルト１３を係止した端部がキャディバッグ本体２の側面に接した状態に保持されるよう作用するバネ体３０の結合部３１が嵌入する溝２１を前記凸部１６の上部に形成している。
【００１６】
図４は、前記バネ体３０の斜視図である。バネ体３０は把持体１２の凸部１６に形成された溝２１に嵌入する結合部３１と、結合部３１の両側に形成されたコイル部３２と、コイル部３２の端部から延びる押さえ部３３とからなる。コイル部３２は把持体１２の凸部１６の両側面に接し、押さえ部３３は図３に示す支持体１１の凹部１５の内面下方のバネ受け部２２に当接する長さで、先端を左右の押さえ部３３の方向に曲げている。このように形成したバネ体３０の押さえ部３３が前記バネ受け部２２に当接するように支持体１１と把持体１２を組み合わせ、支持体１１の軸孔１１ａ、コイル部３２の孔３４、把持体１２の軸孔１２ａにボルト等の軸２３を通して一体化すると、把持体１２にキャディバッグ本体２の方向に回動する力が作用することになる。
なお、前記ベルト１３をゴム等を用いた伸縮性の有る織テープとすれば、前記バネ体３０を用いなくても、該伸縮性の有る織テープに係止された把持体１２の端部を、キャディバッグ本体２の側面に近接保持させることができる。
【００１７】
図５は、把持体１２が回動する状態の説明図である。把持体１２を持ち上げない時は、前記バネ体３０の作用によって把持体１２のベルト１３を係止した端部がキャディバッグ本体２の側面に接した状態に保持されている。把持体１２を持ち上げると、キャディバッグ１を水平面に立てた状態で、支持体１１に軸支された把持体１２の軸孔１２ａの中心から鉛直方向の把持体１２が、１０°〜２０°キャディバッグ本体２の側面から離れる方向に回動したところで止まるようにするには、図３に示す支持体１１の扇型切欠き部１９の中心角αを８０°〜１００°とし、キャディバッグ１を水平面に立てた状態の、支持体１１の軸孔１１ａの中心からの鉛直線に対し対称形となるように形成し、把持体１２の扇型凸部２０の中心角βを約６０°とし、キャディバッグ１を水平面に立てた状態の、把持体１２の軸孔１２ａの中心からの鉛直線に対し対称形となるように形成する。なお、把持体１２の長さは把持体１２が１０°〜２０°キャディバッグ本体２の側面から離れる方向に回動したところで止まった時に、把持体１２の端部がキャディバッグ本体２の側面から４０〜６０ｍｍの高さとなるような長さとしている。
【００１８】
図６は、ベルト１３の他の実施の形態の説明図である。図６に示すように把持体１２の端部とキャディバッグ本体２の側面とを係止するベルト１３をベルトＡ１３ａ、ベルトＢ１３ｂ、ベルトＣ１３ｃの３本とし、ベルトＡ１３ａ、ベルトＢ１３ｂをキャディバッグ本体２の側面とベルト連結具２４に係止し、ベルトＣ１３ｃを把持体１２の端部とベルト連結具２４に係止している。このように形成すれば、ゴルフクラブ等を収納した状態で把持体１２を持ち上げた時に、ベルト１３がキャディバッグ本体２の側面に係止された部位に掛かる荷重が軽減されて、該係止部が破損する恐れが少なくなる。また、図示はしないが、ベルト連結具２４をスライダー構造にして、ベルトＣ１３ｃを長さ調整可能とすれば、前記把持体１２が回動停止するまでの位置で止めることが可能となり、把持体１２の端部のキャディバッグ本体２の側面からの高さを、使用者の好みの高さとすることもできる。
【産業上の利用可能性】
【００１９】
本発明は、キャディバッグに用いることが最適であるが、キャディバッグ以外のバッグにも適用できるものである。
【図面の簡単な説明】
【００２０】
【図１】本発明を実施したキャディバッグの正面図。
【図２】（ａ）本発明のハンドルを取り付けた部分の正面図。（ｂ）本発明のハンドルを取り付けた部分の側面図。
【図３】支持体と把持体を分離した側面図。
【図４】バネ体の斜視図。
【図５】把持体が回動する状態の説明図。
【図６】ベルトの他の実施の形態の説明図。
【図７】従来のキャディバッグのハンドルの説明図。
【図８】従来のキャディバッグのハンドルの説明図。
【符号の説明】
【００２１】
１  キャディバッグ
２  キャディバッグ本体
３  ショルダーベルト
４  ポケット
１０  ハンドル
１１  支持体
１１ａ  軸孔
１１ｂ  ボルト孔
１２  把持体
１２ａ  軸孔
１２ｂ  ベルト孔
１３  ベルト
１３ａ  ベルトＡ
１３ｂ  ベルトＢ
１３ｃ  ベルトＣ
１４  ボルト
１５  凹部
１６  凸部
１７  ゴム成形品
１８  鋲
１９  扇型切欠き部
２０  扇型凸部
２１  溝
２２  バネ受け部
２３  軸
２４  ベルト連結具
３０  バネ体
３１  結合部
３２  コイル部
３３  押え部
３４  孔
４０  キャディバッグ本体
４１  テープ
４２  把持体
４３  ハンドル
４４  ハンドル
【図１】
2007135781.tif 000003
【図２】
2007135781.tif 000004
【図３】
2007135781.tif 000005
【図４】
2007135781.tif 000006
【図５】
2007135781.tif 000007
【図６】
2007135781.tif 000008
【図７】
2007135781.tif 000009
【図８】
2007135781.tif 000010